(57)【要約】  患者に映像および音を提供することにより患者の不安を軽減するため、および患者からの応答を受け取るための医療システム。このシステムは、医療機器から発せられる音を抑制するための音抑制回路を含んでいる。１つまたは複数の視覚表示装置が、表示装置間の距離を調節するための、傾き、旋回、および距離を調節する手段を有する。
2012520152.tif 000002
【特許請求の範囲】
【請求項１】
患者に使用されるＭＲＩ機器で使用するためのシステムであって、
ａ）映像入力および音声入力を受け取るため、および患者により生成される音入力および患者により生成される制御入力を受け取るためのマイクロプロセッサを含むインタフェースと、
ｂ）前記インタフェースから前記映像入力を受け取るため、および前記患者に視覚画像を表示するための視覚表示装置であって、映像表示装置が、左および右の表示装置、ならびに前記左の表示装置と前記右の表示装置の間の距離を調節するための第１の調節手段を含み、各表示装置が、
ｉ）前記映像入力を受け取り、映像画像を送信するためのＯＬＥＤと、
ｉｉ）前記映像画像を前記ＯＬＥＤから受け取るプリズムと、
ｉｉｉ）前記プリズムと前記ＯＬＥＤの間の距離を調節するための第２の調節手段とを含む視覚表示装置と、
ｃ）音抑制信号を生成することにより前記ＭＲＩ機器から発せられる音を抑制するための、前記インタフェース内の音抑制回路と、
ｄ）前記音声入力および前記音抑制信号を前記インタフェースから受け取る、前記患者が着用可能な音伝送システムと、
ｅ）患者により生成された音入力として前記インタフェースに伝送するために、患者により生成される音を受け取るためのマイクロホンシステムと、
ｆ）前記インタフェースに患者入力を提供するための、患者が制御可能な入力機器と、
ｇ）患者に関する生理学的情報を受け取るための、前記インタフェース内の患者モニタ受信機と
を備え、ＭＲＩ室内で使用されるのに十分シールドされているシステム。
【請求項２】
前記視覚表示装置、前記音伝送システム、および前記マイクロホンシステムが、一般的形状の双眼鏡ゴーグルを有する、患者が着用可能な単一のユニットである、請求項１に記載のシステム。
【請求項３】
前記患者が着用可能なユニットと前記患者の間に、保護用の取り外し可能なシールドを含んでいる、請求項１に記載のシステム。
【請求項４】
前記第１の調節可能手段がモータを含んでいる、請求項１に記載のシステム。
【請求項５】
前記第２の調節可能手段がモータを含んでいる、請求項１に記載のシステム。
【請求項６】
前記患者が制御可能な入力機器が、ボタンと、光入力導波路と、光出力導波路と、前記光入力導波路からの入力光を前記光出力導波路に反射する鏡とを含んでいる、請求項１に記載のシステム。
【請求項７】
前記音伝送システムが、前記視覚表示装置に近接する１対のセラミックスピーカと、各スピーカからそれぞれの小型イヤホンへの音伝送可撓管とを含んでいる、請求項２に記載のシステム。
【請求項８】
前記マイクロホンシステムが、前記視覚表示装置に近接するマイクロホンと、患者の口に近接するために十分長い可撓管とを含む、請求項２に記載のシステム。
【請求項９】
患者にＭＲＩを施すためのＭＲＩシステムであって、
ａ）ＭＲＩ室内で使用するためのＭＲＩ機器と、
ｂ）前記ＭＲＩ室の外側の制御室と、
ｃ）前記制御室から制御信号、ならびに音声および映像の入力、ならびに電力を受け取るため、および患者から前記制御室に入力を送信するための、前記ＭＲＩ室内のインタフェースと、
ｄ）前記電力および前記制御信号を前記ＭＲＩ室に送信するため、および患者からの入力を前記制御室に送信するための単一ケーブルと
を備えたＭＲＩシステム。
【請求項１０】
ＭＲＩで患者により使用される視覚表示装置であって、映像表示装置が、左および右の表示装置、ならびに前記左の表示装置と前記右の表示装置の間の距離を調節するための距離調節手段を含み、各表示装置が、
ａ）前記映像入力を受け取り、映像画像を送信するためのＯＬＥＤと、
ｂ）前記ＯＬＥＤから前記映像画像を受け取るプリズムと
を含んでいる視覚表示装置。
【請求項１１】
前記調節手段がモータを含んでいる、請求項１０に記載のシステム。
【請求項１２】
患者にＭＲＩを施すためのＭＲＩシステムであって、
ａ）ＭＲＩ室内で使用するためのＭＲＩ機器と、
ｂ）前記ＭＲＩ室の外部の制御室と、
ｃ）前記制御室から映像入力および音声入力と、制御信号とを受け取るため、ならびに患者により生成される音入力および患者により生成される制御入力を受け取るための、前記ＭＲＩ室内のシールドされたインタフェースユニットと、
ｄ）前記インタフェースユニットから前記映像入力を受け取るため、および前記ＭＲＩ室内の前記患者に視覚画像を表示するための視覚表示装置と、
ｅ）音抑制信号を生成することにより前記ＭＲＩ機器から発せられる音を抑制するための、前記インタフェースユニット内の音抑制回路と、
ｆ）前記インタフェースユニットから前記音声入力および前記音抑制信号を受け取る、前記ＭＲＩ室内の前記患者に音を提供するための音伝送システムと、
ｇ）患者により生成された音入力として前記インタフェースユニットに送信するために、患者により生成される音を受け取るための、前記ＭＲＩ室内のマイクロホンシステムと、
ｈ）患者入力を前記インタフェースユニットに提供するための、前記ＭＲＩ室内の患者が制御可能な入力機器と、
ｉ）患者に関する生理学的情報を受け取るための、前記インタフェースユニット内の患者モニタ受信機と
を備えたＭＲＩシステム。
【請求項１３】
ＭＲＩで患者により使用される視覚表示装置であって、映像表示装置が左および右の表示装置、ならびに前記左の表示装置と前記右の表示装置の間の距離を調節するための距離調節手段を備えており、各表示装置が
ａ）前記映像入力を受け取り、映像画像を送信するためのＯＬＥＤと、
ｂ）前記ＯＬＥＤから前記映像画像を受け取るプリズムと
を含んでいる視覚表示装置。
【請求項１４】
患者にＭＲＩを施すためのＭＲＩシステムであって、
ａ）ＭＲＩ室内で使用するためのＭＲＩ機器と、
ｂ）前記ＭＲＩ室の外側の制御室と、
ｃ）前記制御室から映像入力および音声入力と、制御信号とを受け取るため、ならびに患者により生成される音入力および患者により生成される制御入力を受け取るための、前記ＭＲＩ室内のシールドされたインタフェースユニットと、
ｄ）前記インタフェースユニットから前記映像入力を受け取るため、および前記ＭＲＩ室内の前記患者に視覚画像を表示するための視覚表示装置と、
ｅ）音抑制信号を生成することにより前記ＭＲＩ機器から発せられる音を抑制するための、前記インタフェースユニット内の音抑制回路と、
ｆ）前記インタフェースユニットから前記音声入力および前記音抑制信号を受け取る、前記ＭＲＩ室内の前記患者に音を提供するための音伝送システムと、
ｇ）患者により生成された音入力として前記インタフェースユニットに送信するために、患者により生成される音を受け取るための、前記ＭＲＩ室内のマイクロホンシステムと、
ｈ）患者入力を前記インタフェースユニットに提供するための、前記ＭＲＩ室内の患者が制御可能な入力機器と、
ｉ）患者に関する生理学的情報を受け取るための、前記インタフェースユニット内の患者モニタ受信機と
を含むＭＲＩシステム。
【請求項１５】
患者の気分を紛らして不安を軽減するための医療用システムであって、
ａ）映像入力および音声入力を受け取るため、ならびに患者により生成される音入力および患者により生成される制御入力を受け取るためのマイクロプロセッサを含むインタフェースと、
ｂ）前記映像入力を前記インタフェースから受け取るため、および前記患者に視覚画像を表示するための１つまたは複数の視覚表示装置と、
ｃ）音抑制信号を生成することにより前記患者に近接する医療機器から発せられる音を抑制するための、前記インタフェース内の音抑制回路と、
ｄ）前記インタフェースから前記音声入力および前記音抑制信号を受け取る、前記患者が着用可能な音伝送システムと、
ｅ）患者により生成された音入力として前記インタフェースに送信するために、患者により生成される音を受け取るためのマイクロホンシステムと、
ｆ）前記インタフェースに患者入力を提供するための患者が制御可能な入力機器と、
ｇ）患者に関する生理学的情報を受け取るための、前記インタフェース内の患者モニタ受信機と
を備え、医療処置室内で使用されるのに十分シールドされているシステム。
【請求項１６】
前記医療機器が作動しているときだけ、前記インタフェース内の前記音抑制回路が音抑制を提供するために前記医療機器に連結される、請求項１５に記載のシステム。
【請求項１７】
前記１つまたは複数の視覚表示装置が、
ａ）前記映像入力を受け取り、映像画像を送信するためのＯＬＥＤと、
ｂ）前記ＯＬＥＤから前記映像画像を受け取るプリズムと、
ｃ）前記１つまたは複数の視覚表示装置の間の距離を調節するための第１の調節手段と、
ｄ）前記プリズムと前記ＯＬＥＤの間の距離を調節するための第２の調節手段と、
ｅ）前記１つまたは複数の視覚表示装置を傾けるための第３の調節手段と、
ｆ）前記患者の瞳孔と一致する中心線軸を中心に前記１つまたは複数の視覚表示装置を旋回させるための第４の調節手段と
を含んでいる、請求項１５に記載のシステム。
【請求項１８】
前記第１の調節手段、前記第２の調節手段、前記第３の調節手段、および前記第４の調節手段が、モータ調節、手動調節、またはモータ調節と手動調節の両方を含んでいる、請求項１７に記載のシステム。
【請求項１９】
前記１つまたは複数の視覚表示装置、前記音伝送システム、および前記マイクロホンシステムが、一般的形状の双眼鏡ゴーグルを有する、患者が着用可能な単一ユニットである、請求項１５に記載のシステム。
【請求項２０】
前記１つまたは複数の視覚表示装置、前記音伝送システム、および前記マイクロホンシステムが、単一ケーブルにより前記インタフェースに接続されている、請求項１９に記載のシステム。
【請求項２１】
前記１つまたは複数の視覚表示装置、前記音伝送システム、および前記マイクロホンシステムがそれぞれ、単一ケーブルにより前記インタフェースに個々に接続されている、請求項１９に記載のシステム。
【請求項２２】
アクティブ・ヘッド・モーション検出器、パッシブ・ヘッド・モーション検出器、またはアクティブ・ヘッド・モーション検出器とパッシブ・ヘッド・モーション検出器の両方をさらに含んでいる、請求項１９に記載のシステム。
【請求項２３】
前記１つまたは複数の視覚表示装置、前記音伝送システム、および前記マイクロホンシステムが、前記一般的形状のメガネフレームを有する、患者が着用可能な単一ユニットに取り付け可能な個々のユニットである、請求項１５に記載のシステム。
【請求項２４】
前記１つまたは複数の視覚表示装置、前記音伝送システム、および前記マイクロホンシステムが、単一ケーブルにより前記インタフェースに接続されている、請求項２３に記載のシステム。
【請求項２５】
前記１つまたは複数の視覚表示装置、前記音伝送システム、および前記マイクロホンシステムがそれぞれ、単一ケーブルにより前記インタフェースに個々に接続されている、請求項２３に記載のシステム。
【請求項２６】
アクティブ・ヘッド・モーション検出器、パッシブ・ヘッド・モーション検出器、またはアクティブ・ヘッド・モーション検出器とパッシブ・ヘッド・モーション検出器の両方をさらに含んでいる、請求項２３に記載のシステム。
【請求項２７】
前記１つまたは複数の視覚表示装置、前記音伝送システム、および前記マイクロホンシステムが、前記一般的形状の双眼鏡ゴーグルを有する複数の大きさのフレーム上に搭載可能な別個のユニットである、請求項１５に記載のシステム。
【請求項２８】
前記１つまたは複数の視覚表示装置、前記音伝送システム、および前記マイクロホンシステムが、単一ケーブルにより前記インタフェースに接続されている、請求項２７に記載のシステム。
【請求項２９】
前記１つまたは複数の視覚表示装置、前記音伝送システム、および前記マイクロホンシステムがそれぞれ、単一ケーブルにより前記インタフェースに個々に接続されている、請求項２７に記載のシステム。
【請求項３０】
アクティブ・ヘッド・モーション検出器、パッシブ・ヘッド・モーション検出器、またはアクティブ・ヘッド・モーション検出器とパッシブ・ヘッド・モーション検出器の両方をさらに含んでいる、請求項２７に記載のシステム。
【請求項３１】
患者の眼球運動を追跡するための手段をさらに含んでいる、請求項１５に記載のシステム。
【請求項３２】
患者の眼球運動を追跡するための前記手段が、前記１つまたは複数の視覚表示装置の１つまたは複数の中心に取り付けられ、前記患者の瞳孔を横断して配置される光ファイバ束である、請求項３１に記載のシステム。
【請求項３３】
前記患者が着用可能なユニットと前記患者の間に保護用の取り外し可能なシールドをさらに含んでいる、請求項１５に記載のシステム。
【請求項３４】
前記患者が制御可能な入力機器が、ボタン、光入力導波路、光出力導波路、および前記光入力導波路からの入力光を前記光出力導波路に反射する鏡を含んでいる、請求項３３に記載のシステム。
【請求項３５】
前記音伝送システムが、前記１つまたは複数の視覚表示装置に近接する１対のセラミックスピーカと、各スピーカからそれぞれの小型イヤホンへの音伝送可撓管とを含んでいる、請求項１５に記載のシステム。
【請求項３６】
前記マイクロホンシステムが、前記１つまたは複数の視覚表示装置に近接するマイクロホン、および患者の口に近接するために十分長い可撓管を含んでいる、請求項１５に記載のシステム。
【発明の詳細な説明】
【技術分野】
【０００１】
相互参照
本出願は、全体が参照により本開示に組み入れられる、２００９年３月１３日に提出された「ＭＲＩ  Ｓｙｓｔｅｍ」と題する米国仮特許出願第６１／１６０，１２８号明細書の恩典を主張する、２００９年６月１８日に提出された「Ｉｎｔｅｒａｃｔｉｖｅ  ＭＲＩ  Ｓｙｓｔｅｍ」と題する米国特許出願第１２／４８７，５７３号明細書の一部継続出願である。上記特許出願のそれぞれは、その全体が参照により本明細書に組み入れられる。
【背景技術】
【０００２】
多くの医療処置は、処置が行われている場所、および雑音、および他の環境要因に不慣れのために患者をますます不安にさせる。たとえば、磁気共鳴イメージング（ｍａｇｎｅｔｉｃ  ｒｅｓｏｎａｎｃｅ  ｉｍａｇｉｎｇ、「ＭＲＩ」）システムおよび機能的磁気共鳴イメージング（ｆｕｎｃｔｉｏｎａｌ  ｍａｇｎｅｔｉｃ  ｒｅｓｏｎａｎｃｅ  ｉｍａｇｉｎｇ、「ｆＭＲＩ」）システムが、患者の物理的状態を診断するために広く使用されている。ＭＲＩシステムおよびｆＭＲＩシステムはまた、脳活動について様々な刺激の影響を決定するための研究手段としても使用される。研究目的のためには、ＭＲＩを受けている患者に音声および／または映像の刺激を提供できることが望ましい。ＭＲＩ過程から閉所恐怖症になり得る患者の気分をまぎらすことが望ましい。したがって、さらに日常的なＭＲＩについては、音声および／または視覚の刺激が提供されることが望ましい。そのような刺激を提供することができるＭＲＩシステムが公知である。たとえば、米国特許第５，８７７，７３２号明細書を参照されたい。
【０００３】
しかし、刺激を提供することができる既存システムは、１つまたは複数の欠陥、たとえば７テスラで動作するＭＲＩシステムなど高出力ＭＲＩシステムで使用することができないことなど、患者に取っての不快感、および患者に入力を提供し患者から出力を受け取るインタフェースシステムの能力が制限されることを欠点として持つ。
【０００４】
さらに、たとえば、整形外科的関節鏡検査処置（すなわち、関節炎組織、骨棘（ｓｐｕｒ）などを除去する膝関節スコープ）が、全身麻酔薬の代わりに施される局所ブロックおよび軸性ブロックの組合せで患者を覚醒したままにすることがしばしばある。不安を高める部屋の雰囲気に加えて、のこぎり、吸引、および別の手術器具の雑音がある手術室で覚醒していることが、多くの患者に情緒的不安を引き起こし得る。標準的イヤホンおよび視覚表示アイウェアは手術室の雑音の十分な遮断を提供せず、医療処置が行われている間、患者により調節できないことによる患者の不安および恐怖心を増大させ得る。
【発明の概要】
【発明が解決しようとする課題】
【０００５】
したがって、既存システムのこれらの欠陥の１つまたは複数を克服するシステムが必要である。
【課題を解決するための手段】
【０００６】
本発明はこの必要性を満たす。本発明は、ａ）映像入力および音声入力を受け取るため、ならびに患者により生成される音入力および患者により生成される制御入力を受け取るためのマイクロプロセッサを含むインタフェースと、ｂ）映像入力をインタフェースから受け取るため、および視覚画像を患者に表示するための１つまたは複数の視覚表示装置と、ｃ）音抑制信号を生成することにより患者に近接する医療機器から発せられる音を抑制するための、インタフェース内の音抑制回路と、ｄ）インタフェースから音声入力および音抑制信号を受け取る、患者が着用可能な音伝送システムと、ｅ）患者により生成された音入力としてインタフェースに送信するために、患者により生成される音を受け取るためのマイクロホンステムと、ｆ）患者入力をインタフェースに提供するための患者が制御可能な入力機器と、ｇ）患者に関する生理学的情報を受け取るための、インタフェース内の患者モニタ受信機とを含む、患者の気分をまぎらして不安を軽減するための医療用システムである。システムは十分にシールドされるので、医療処置室内で使用できる。
【０００７】
本発明の一実施形態では、本発明は、ａ）映像入力および音声入力を受け取るため、ならびに患者により生成される音入力および患者により生成される制御信号を受け取るためのマイクロプロセッサを含むインタフェースと、ｂ）インタフェースから映像入力を受け取るため、および患者に視覚画像を表示するための視覚表示装置であって、映像表示装置が左および右の表示装置、ならびに左の表示装置と右の表示装置の間の距離を調節するための第１の調節手段を含み、各表示装置がｉ）映像入力を受け取り、映像画像を送信するためのＯＬＥＤと、ｉｉ）ＯＬＥＤから映像画像を受け取るプリズムと、ｉｉｉ）プリズムとＯＬＥＤの間の距離を調節するための第２の調節手段とを含む視覚表示装置と、ｃ）音抑制信号を生成することによりＭＲＩ機器から発せられる音を抑制するための、インタフェース内の音抑制回路と、ｄ）インタフェースから音声入力および音抑制信号を受け取る、患者が着用可能な音伝送システムと、ｅ）患者により生成された音入力としてインタフェースに送信するために、患者により生成される音を受け取るためのマイクロホンシステムと、ｆ）患者入力をインタフェースに提供するための患者が制御可能な入力機器と、ｇ）患者に関する生理学的情報を受け取るための、インタフェース内の患者モニタ受信機とを含む、患者に使用されるＭＲＩで使用するためのシステムである。システムは十分にシールドされるので、ＭＲＩ室内で使用可能である。
【０００８】
本発明のこれらおよび別の特徴、様態、および有利な点が以下の説明、添付の特許請求の範囲、および添付の図面を参照してよりよく理解されるようになるであろう。
【図面の簡単な説明】
【０００９】
【図１】本発明の特徴を有するシステムの構成要素を示す構成図である。
【図２】図１のシステムで使用するためのインタフェースユニットの構成図である。
【図３】図２のインタフェースユニットのトップダウン概略図である。
【図４】図２のインタフェースユニットの側面概略図である。
【図５】図２のインタフェースユニットの音声／映像インタフェースの構成図である。
【図６】図１のシステムと共に使用するための音声／映像表示機器の概略図である。
【図７】図１のシステム内で有用な音声／映像表示機器の透視図である。
【図８】患者が身に着ける図７の音声映像機器を示す。
【図９】音声／映像機器の配線図である。
【図１０Ａ】図１のシステムで使用するための映像表示装置の透視図である。
【図１０Ｂ】図１０Ａの表示装置の側面図である。
【図１０Ｃ】図１０Ａの映像表示装置を概略示す。
【図１１】図１のシステムで使用するためのスピーカシステムを示す。
【図１２】図１のシステムで使用するためのマイクロホンを示す。
【図１３Ａ】図１のシステムで使用するための呼出ボタンの概略の平面図である。
【図１３Ｂ】図１３Ａの呼出ボタンの概略の正面図である。
【図１３Ｃ】図１３Ａの呼出ボックスシステムの構成要素を示す。
【図１４】患者の不安を軽減するために薄型設計を使用するゴーグルベースの音声／映像表示および応答ユニット１４００である。
【図１５】本発明の別の実施形態による、医療用不安軽減ディストラクションシステム１５００の図である。
【図１６】本発明の一実施形態による１つまたは複数の患者の頭の過剰な動きセンサを有する、図１４のゴーグルユニットの正面図である。
【図１７】本発明の一実施形態により個々の視覚表示装置がどのように調節可能であるかの構成図である。
【図１８】本発明の一実施形態による、患者の眼球運動を追跡するための遠隔眼球追跡カメラの図である。
【図１９】図１５の個々の視覚表示ユニットのクローズアップ図である。
【図２０】一部の医療処置で使用されるＭＲＩヘッドユニットの図である。
【図２１】本発明の一実施形態による自動雑音消去センサの図である。
【発明を実施するための形態】
【００１０】
本発明の一実施形態によれば、医療処置中に患者との対話を行うための機器、たとえば磁気共鳴イメージング（ＭＲＩ）機器または機能的磁気共鳴イメージング（ｆＭＲＩ）機器などが提供される。本発明の別の実施形態によれば、患者に対してＭＲＩまたはｆＭＲＩを行うためのシステムが提供される。本発明の別の実施形態によれば、患者に対してＭＲＩまたはｆＭＲＩを行うための方法が提供される。一実施形態では、方法は、本発明による機器を提供するステップと、機器を使用して患者に対して磁気共鳴イメージングを行うステップとを含む。
【００１１】
以下の説明では、実施形態の完全な理解を提供するために具体的詳細が示される。しかし、実施形態がこれらの具体的詳細なしに実施可能であることが当業者により理解されよう。実施形態を不明瞭にしないように、周知の回路、構造、および技術が詳細に示されないことがある。たとえば、回路は不必要な詳細で実施形態を不明瞭にしないように構成図で示されることがある。
【００１２】
また、実施形態は、流れ図、フローダイアグラム、構造図、または構成図として描かれる工程として説明されることがあることが留意される。流れ図が連続工程として動作を説明することがあるが、動作の多くが並列にまたは同時に行うことができる。さらに、動作の順序が並べ換えられることがある。工程の動作が完了したとき、工程が終了させられる。工程が方法、関数、手順、サブルーチン、サブプログラムなどに対応することがある。工程が関数に対応する場合、工程の終了は、呼び出している関数またはメイン関数へ関数が戻ることに対応する。
【００１３】
さらに、記憶装置が、読出専用メモリ（ＲＯＭ）、ランダム・アクセス・メモリ（ＲＡＭ）、磁気ディスク記憶媒体、光学的記憶媒体、フラッシュ・メモリ・デバイス、および／または情報を記憶するための別の機械読出可能媒体を含む、データを記憶するための１つまたは複数の機器を表すことがある。
【００１４】
さらに、実施形態がハードウェア、ソフトウェア、ファームウェア、ミドルウェア、マイクロコード、またはそれらの組合せにより実装されることがある。ソフトウェア、ファームウェア、ミドルウェア、またはマイクロコードで実装されるとき、必要なタスクを実行するためのプログラムコードまたはコードセグメントが機械読出可能媒体たとえば記憶媒体または１つまたは複数の別の記憶装置内に記憶されることがある。プロセッサが必要なタスクを実行することができる。コードセグメントが手順、関数、サブプログラム、プログラム、ルーチン、サブルーチン、モジュール、ソフトウェアパッケージ、クラス、あるいは命令、データ構造、またはプログラム文の組合せを表すことがある。コードセグメントが、情報、データ、引数、パラメータ、またはメモリ内容を渡すおよび／または受け取ることにより、別のコードセグメントまたはハードウェア回路に結合可能である。情報、引数、パラメータ、データなどが、記憶空間共有、メッセージパッシング、トークンパッシング、ネットワーク伝送などを含む適切な手段を通して渡される、転送される、または送信される。
【００１５】
以下の説明では、本発明の１つまたは複数の実施形態の特定の特徴を説明するために特定の用語が使用される。
【００１６】
本明細書で使用されるように、状況が別のやり方で要求する場合を除いて、用語「含む（ｃｏｍｐｒｉｓｅ）」、およびその用語の変化形、たとえば「ｃｏｍｐｒｉｓｉｎｇ」、「ｃｏｍｐｒｉｓｅｓ」、および「ｃｏｍｐｒｉｓｅｄ」は、別の付加物、構成要素、完全体（ｉｎｔｅｇｅｒ）、またはステップを排除するように意図されるものではない。したがって、本明細書全体で、状況が別のやり方で要求しなければ、用語「ｃｏｍｐｒｉｓｅ」、「ｃｏｍｐｒｉｓｉｎｇ」、および同種のものは、排他的意味ではなく包括的意味で、すなわち「含むが限定されない」という意味で解釈されるものである。
【００１７】
本明細書で使用されるように、用語ｆＭＲＩ適合およびＭＲＩ適合は、それぞれｆＭＲＩおよびＭＲＩの手順の間に使用するために意図される機器を指し、その結果、機器により記録されるデータも、手順により記録されるデータも、実際にｆＭＲＩまたはＭＲＩの共同使用により不利益に影響を及ぼされると合理的に考えられない。
【００１８】
本明細書で使用されるように、用語有機発光ダイオード（ＯＬＥＤ）は、電極の少なくとも一方が透明である２つの電極間に形成される有機化合物の薄膜からなる放射性エレクトロルミネセント層を含む発光ダイオードの、透明な、可撓性のある、固体状のなどを含むすべての変形形態を指す。
【００１９】
ＭＲＩ適合機器がｆＭＲＩ適合性を保証しない。機器をｆＭＲＩ適合にする方法の例が、機器とＭＲＩスキャナの超伝導磁石の間の引力を低減するための非強磁性材料、たとえばプラスチックの使用、およびデータ測定機器を害し、データの信号対雑音比またはコントラスト対雑音比を損なう可能性がある電磁妨害（ｅｌｅｃｔｒｏｍａｇｎｅｔｉｃ  ｉｎｔｅｒｆｅｒｅｎｃｅ）を低減するためのシールディングの使用を含むがそれに限定されるものではない。
【００２０】
図で描かれているように、本開示で指定されるすべての寸法が例だけのためであり、限定していると意図されない。さらに、これらの図で示される比率は必ずしもスケール適合しない。本開示を参照して当業者により理解されるように、本開示で開示される任意の機器または機器の部分の実際の寸法は、任意の機器または機器の部分の意図される用途により決定される。
【００２１】
システムの概観
ここで図１を参照すると、本発明の特徴を有するシステム１００が示されている。システム１００は制御室１０２およびＭＲＩ室１０４を含み、ＭＲＩ室は磁石ボア（ｍａｇｎｅｔ  ｂｏｒｅ）１０６を含む。用語「ＭＲＩ室」はまた、ｆＭＲＩのために使用される部屋を含む。
【００２２】
制御室１０２は、システム１００を制御するためのタッチ・ディスプレイ・スクリーン１１０を介して任意選択で動作させられるコンピュータ・ワーク・ステーション１０８、電源１１２、映像入力を提供する映像フィード１１４、および音声入力を提供する音声フィード１１６を含む。映像フィード１１４および音声フィード１１６は、コンピュータ・ワーク・ステーション１０８に、あるいは映像または音声の出力を利用できる任意の別の機器たとえばＤＶＤプレーヤ（示されていない）に、任意選択で接続可能である。ＭＲＩ室１０４はインタフェースユニット１１８を含む。
【００２３】
磁石ボア１０６内部には患者インタフェース機器たとえばポータブル音声視覚システム１２０、呼出ボタン１２２、応答機器１２４、および手動コントローラたとえばジョイスティック１２６があり、それらすべてがインタフェースユニット１１８に接続される。
【００２４】
制御室構成要素
コンピュータ・ワーク・ステーション１０８は、任意の一般的コンピュータたとえばＤｅｌｌ（登録商標）、Ｈｅｗｌｅｔｔ−Ｐａｃｋａｒｄ（登録商標）、および別の会社により提供されるコンピュータとすることができる。コンピュータ・ワーク・ステーション１０８は典型的にはコンピュータメモリ、ＵＳＢポート、プリンタ、モニタ、キーボード、およびマウスを含む。任意選択で、モニタはタッチ・ディスプレイ・スクリーン１１０の形態とすることができる。ディスプレイ・タッチ・スクリーン１１０は標準的ＵＳＢコネクタ１２７を通してＰＣワークステーション１０８に接続可能である。ワークステーション１０８は光通信回線１２８を通してインタフェースユニット１１８と通信する。電源１１２は外部電力を電力線１３０に、インタフェース１１８に、およびインタフェースユニット１１８を通して磁石ボア構成要素に提供する。電力は直流１２ボルトとすることができる。光接続回線１２８は、制御信号および別の入力をインタフェースユニット１１８に提供するため、ならびにワークステーション１０８、制御室への患者から得られる入力を受け取るために使用される。好ましくは、電力および制御信号をＭＲＩ室に送信するため、ならびに患者からの入力を制御室１０２に送信するために単一ケーブルが使用される。
【００２５】
映像フィード１１４および音声フィード１１６は、それぞれＳＶＧＡ光ファイバ回線１３２および１３４を通してインタフェース１１８に送信される。
【００２６】
インタフェースユニット
図１および図４を参照すると、インタフェースユニット１１８は、電源１１２に接続される変成器２０２と、変成器２２０に接続されるインタフェースコンピュータ２０４と、インタフェースコンピュータ２０４を囲む磁気シールディングハウジング２０６と、インタフェースコンピュータ２０４に電子的に接続され光信号を使用して光イーサネット接続１２８を介してコンピュータ・ワーク・ステーション１０８に接続されるネットワークインタフェース２０８と、インタフェースコンピュータ２０４に電子的に接続されるデータ記憶装置２１２と、インタフェースコンピュータ２０４に電子的に接続される補助インタフェース２１４と、インタフェースコンピュータ２０４に電子的に接続される音声／映像ゴーグルインタフェース２１６とを含み、インタフェースユニット１１８は、磁気シールディングハウジング２０６により十分にシールドされるので、ＭＲＩ磁場に持ち出されるＭＲＩ室１０４内で使用可能である。インタフェースユニット１１８はインタフェースコンピュータ２０４に接続される映像取込カード２１８と、映像取込カード２１８に電子的に接続される任意選択の眼球追跡インタフェース２２０と、インタフェースコンピュータ２０４に電子的に接続されるデータ取得ユニット２２２と、データ取得ユニット２２２に電子的に接続される任意選択の患者モニタ受信機２２４とを任意選択で含む。
【００２７】
インタフェースコンピュータ２０４は、回路基板２２６およびシングル・ボード・コンピュータ（ＳＢＣ）２２８を含む。好ましい実施形態では、回路基板２２６はプリント回路基板であり、ＳＢＣ２２８はｍｉｎｉ−ＩＴＸマザーボード、たとえば８Ｆ、Ｎｏ．９４、Ｓｅｃ．１、Ｓｈｉｎ  Ｔａｉ  Ｗｕ  Ｒｄ．、Ｈｓｉｎ  Ｃｈｉｎ、Ｔａｉｐｅｉ  Ｈｓｉｅｎ、ＴａｉｗａｎのＴａｉｗａｎ  Ｃｏｍｍａｔｅ  Ｃｏｍｐｕｔｅｒ、Ｉｎｃ．から入手できるＣｏｍｍｅｌｌ（商標）ＬＶ−６７９である。一実施形態では、インタフェースコンピュータ２０４は、アクティブ雑音消去（ａｃｔｉｖｅ  ｎｏｉｓｅ  ｃａｎｃｅｌｌａｔｉｏｎ、ＡＮＣ）ソフトウェア、ＡＮＣハードウェア、またはＡＮＣソフトウェアとＡＮＣハードウェアの両方を含む。好ましい実施形態では、インタフェースコンピュータ２０４は、ＡＮＣハードウェア、たとえばＡｕｓｔｒｉａ  Ｍｉｃｒｏｓｙｓｔｅｍｓ社のＡＳ３５０１フィードフォワードＡＮＣデバイスまたはＡＳ３５００フィードバックＡＮＣデバイスなどを含む。特に好ましい実施形態では、インタフェースコンピュータ２０４は、たとえば米国特許第５，４２７，１０２号明細書または米国特許第５，４４０，６４１号明細書に記載されているＡＮＣソフトウェアをロードされる。ソフトウェアはインタフェースコンピュータの中へのバックグラウンド音声入力、出力音がバックグラウンド音声入力を打ち消すようにバックグラウンド音声入力からの１８０°位相シフト音である出力音を生成するためのソフトウェア、および出力音を送り出すための音声出力を可能にする。この方法では、患者は周囲の典型的ＭＲＩ雑音を有しないことにより利益を得る。患者は動き回る可能性があまりないので、管理者はよりよい研究結果を通して利益を得る。別の好ましい実施形態では、ＳＢＣ２２８は映像画像をコンピュータ・ワーク・ステーション１０８に出力するためのＤＶＩモニタ出力２２９をさらに含む。
【００２８】
磁気シールディングハウジング２０６は、インタフェースユニット１１８と、インタフェースコンピュータ２０４、およびヒートシンク２３６を有するデータ記憶装置２１２に熱的に接続される冷却器２３２とを含むコンピュータハウジング２３０を含むことができる。好ましい実施形態では、冷却器２３２は熱を周囲の空気中に伝導するための高表面積格子を含む。特に好ましい実施形態では、高表面積格子はアルミニウムからなり、寸法が１２．２５インチ（３１．１１５ｃｍ）×２．３インチ（５．８４２ｃｍ）×１２インチ（３０．４８ｃｍ）ある。好ましい実施形態では、冷却器２３２は熱伝導性ギャップフィルタ、たとえば寸法が６．７インチ（１７．０１８ｃｍ）×６．７インチ×０．２インチ（０．５０８ｃｍ）ある、Ｃｈａｎｈａｓｓｅｎ、ＭＮのＴｈｅ  Ｂｅｒｑｕｉｓｔ  Ｃｏｍｐａｎｙ社から入手できるＢｅｒｑｕｉｓｔ（商標）ＧＰ２５００Ｓ２０を用いて回路基板２２６に熱的に結合される。好ましい実施形態では、インタフェースコンピュータ２０４は空気をさらに含み、冷却器２３２は回路基板２２６、インタフェースコンピュータ２０４の内側の空気、およびヒートシンク２３６と熱接触するＣＰＵ冷却器２３４をさらに含む。この設計では、ＭＲＩまたはｆＭＲＩを妨害する可能性がある可動部品を少し使ってかなりの冷却がある。
【００２９】
ネットワークインタフェース２０４は、インタフェースコンピュータ２０４内で使用するために光信号を標準的電子信号に変換することができる変換器ボックスである。好ましい実施形態では、ネットワークインタフェース２０４はＳＦＰ（Ｓｍａｌｌ  Ｆｏｒｍ−ｆａｃｔｏｒ  Ｐｌｕｇｇａｂｌｅｓ）ファン・レス・システムへの銅線ギガビットイーサネット（Ｃｏｐｐｅｒ  Ｇｉｇａｂｉｔ  Ｅｔｈｅｒｎｅｔ）であり、１０００−ＢａｓｅＴイーサネット接続を使ってインタフェースコンピュータ２０４に、および１０００−Ｂａｓｅ  ＳＸギガビット光イーサネットコードによりコンピュータ・ワーク・ステーション１０８に接続される。ＳＦＰファン・レス・システムへの銅線ギガビットイーサネットは、１９８００  Ｎｏｒｔｈ  Ｃｒｅｅｋ  Ｐａｒｋｗａｙ、Ｂｏｔｈｅｌｌ  ＷＡのＡｌｌｉｅｄ  Ｔｅｌｅｓｉｓ社から入手できるＡｌｌｉｅｄ  Ｔｅｌｅｓｉｓ（登録商標）ＡＴ−ＭＣ１００８／ＳＰ  １０００Ｔとすることができる。１０００−Ｂａｓｅ  ＳＸギガビット光イーサネットコードは、３３０  Ｒｉｃｈｍｏｎｄ  Ｓｔ．、Ｃｈａｔｈａｍ、Ｏｎｔａｒｉｏ、Ｃａｎａｄａから入手できるＯｐｔｉｃｓ  Ｎｏｒｔｈ  Ａｍｅｒｉｃａ（登録商標）ＣＡＢ−ＤＶＩＦＯ−３０ＭＭとすることができる。
【００３０】
好ましい実施形態では、データ記憶装置２１２は可動部分のないソリッド・ステート・ハード・ドライブであり、ヒートシンク２３６に接続される。ソリッド・ステート・ハード・ドライブは、２２００  Ｍｉｓｓｉｏｎ  Ｃｏｌｌｅｇｅ  Ｂｌｖｄ、Ｓａｎｔａ  Ｃｌａｒａ、ＣＡのＩｎｔｅｌ  Ｃｏｒｐｏｒａｔｉｏｎ社から入手できるＩｎｔｅｌ（登録商標）ＳＳＤ  ８０ＧＢ記憶装置とすることができる。データ記憶装置２１２は、シリアルＡＴＡ（ＳＡＴＡ）接続によりインタフェースコンピュータ２０４に接続される。別の好ましい実施形態では複数のデータ記憶装置があり、それぞれインタフェースコンピュータ２０４に、およびヒートシンク２３６に接続される。ソリッド・ステート・ハード・ドライブは可動部分がないためにＭＲＩ室内で使用するのによりよい。典型的ハードディスクには、ＭＲＩおよびｆＭＲＩを妨害する可能性がある電気モータがある。
【００３１】
好ましい実施形態では、補助インタフェース２１４は、標準的双方向電子通信手段を通して、たとえばＵＳＢケーブルを通してまたは無線でインタフェースコンピュータ２０４に接続される。補助インタフェース２１４は、電気信号と光信号の間を変換するための回路、および光ファイバケーブルを通して光信号を送受信するための通信手段を含む。通信手段の一例が、フォトダイオード回路、発光ダイオード（ＬＥＤ）、または光検出器、たとえば電気信号を光信号に変換するためのＩｎｄｕｓｔｒｉａｌ  Ｆｉｂｅｒ  Ｏｐｔｉｃｓ（登録商標）ＩＦ−Ｅ９６、および光信号を電気信号に変換するためのＩｎｄｕｓｔｒｉａｌ  Ｆｉｂｅｒ  Ｏｐｔｉｃｓ（登録商標）ＩＦ−Ｄ９５であり、両方とも１７２５  Ｗｅｓｔ  １ｓｔ  Ｓｔｒｅｅｔ、Ｔｅｍｐｅ、ＡＺのＩｎｄｕｓｔｒｉａｌ  Ｆｉｂｅｒ  Ｏｐｔｉｃｓ、Ｉｎｃ．社から入手できる。
【００３２】
インタフェースユニット１１８は、図５に示される音声／映像ゴーグルインタフェース２１６を含む。音声／映像ゴーグルインタフェース２１６はＳＢＣ２２８に接続される非磁性オス電気コネクタ３０２と、制御室１０２に接続されるＤＶＩ（Ｄｉｇｉｔａｌ  Ｖｉｓｕａｌ  Ｉｎｔｅｒｆａｃｅ）コネクタ３０４と、制御室１０２に接続される前面パネル（ＦＰ）音声コネクタ３０６と、ＤＶＩコネクタ３０４に、ＦＰ音声コネクタ３０６に、および非磁性オス電気コネクタ３０２に接続されるインタフェースシステム３０８と、インタフェースシステム３０８に電気的に接続される非磁性メス電気コネクタ３１０と、インタフェースシステム３０８に電気的に接続されるファイバコネクタ３１２とを含む。好ましい実施形態では、非磁性オス電気コネクタ３０２および非磁性メス電気コネクタ３１０は、５２８８  Ｖａｌｌｅｙ  Ｉｎｄｕｓｔｒｉａｌ  Ｂｌｖｄ  Ｓ、Ｓｈａｋｏｐｅｅ、ＭＮのＩＴＴ  Ｉｎｔｅｒｃｏｎｎｅｃｔ  Ｓｏｌｕｔｉｏｎｓ社から入手できるＩＴＴ  Ｃａｎｎｏｎ（登録商標）Ｄ−Ｓｕｂｍｉｎｉａｔｕｒｅ非磁性コネクタである。
【００３３】
ＤＶＩコネクタ３０４は映像フィード１１４から映像情報を受け取るように構成されるが、ＦＰ音声コネクタ３０６は音声フィード１１６から音声情報を受け取るように構成される。非磁性オス電気コネクタ３０２はＳＢＣ映像信号接続３１４、ＳＢＣ通信信号接続３１６、ＳＢＣ音声信号接続３１８、マイクロホンＳＢＣ接続３２０、および電力接続３２２を含む、ＳＢＣとの複数の電気接続を有するように構成される。
【００３４】
インタフェースシステム３０８は、ＤＶＩケーブル３０５を通してＤＶＩコネクタ３０４に接続されるＳＶＧＡ（Ｓｕｐｅｒ  Ｖｉｄｅｏ  Ｇｒａｐｈｉｃｓ  Ａｒｒａｙ）変換器３２４へのＤＶＩと、ＳＶＧＡケーブルを通してＳＶＧＡ変換器３２４へのＤＶＩに接続され、ＳＶＧＡ、色、同期映像の情報を伝達するケーブルを通してＳＢＣ映像信号接続３１４に接続される映像セレクタ３２６と、双方向接続ケーブル、たとえばＵＳＢケーブルによりＳＢＣ通信信号接続３１６に接続されるインタフェースコントローラ３２８と、インタフェースコントローラ３２８に接続される制御倫理回路３３０と、インタフェースたとえば２線インタフェース（ｔｗｏ−ｗｉｒｅ  ｉｎｔｅｒｆａｃｅ、ＴＷＩ）またはシリアル周辺インタフェース（ＳＰＩ）を使って制御論理回路３３０に接続されるＤＡ変換器（ＤＡＣ）３３２と、光ケーブルによりＦＰ音声コネクタ３０６に接続され、光音声信号を電気信号に変換するように構成されるファイバ受信機ＤＡＣ３３４と、ファイバ受信機ＤＡＣ３３４に、およびＳＢＣ音声信号接続３１８に接続され、２つの音声信号を１つの電気信号に結合するように構成される音声ミキサ３３６と、音声ミキサ３３６に接続されるスピーカ増幅器３３８と、マイクロホンＳＢＣ接続３２０に接続される通信マイクロホンライン増幅器３４０と、電力接続３２２に接続されるレギュレータ３４２と、制御論理回路３３０に接続され、電気信号を光信号に変換するように構成される第１の電気−光変換器３４４と、制御論理回路３３０に接続され、光信号を電気信号に変換するように構成される第２の電気−光変換器３４６とを含む。好ましい実施形態では、第１の電気−光変換器３４４はＩｎｄｕｓｔｒｉａｌ  Ｆｉｂｅｒ  Ｏｐｔｉｃｓ（登録商標）ＩＦ−Ｅ９６であり、第２の電気−光変換器３４６はＩｎｄｕｓｔｒｉａｌ  Ｆｉｂｅｒ  Ｏｐｔｉｃｓ（登録商標）ＩＦ−Ｄ９５であり、両方とも１７２５  Ｗｅｓｔ  １ｓｔ  Ｓｔｒｅｅｔ、Ｔｅｍｐｅ、ＡＺのＩｎｄｕｓｔｒｉａｌ  Ｆｉｂｅｒ  Ｏｐｔｉｃｓ、Ｉｎｃ．社から入手できる。
【００３５】
非磁性メス電気コネクタ３１０は、音声／映像ゴーグルインタフェース２１６との複数の電気接続、たとえば映像ケーブルを通して映像セレクタ３２６に接続される表示装置ドライブ３４８たとえば映像信号を伝達するためのＳＶＧＡと、制御論理回路３３０に接続される表示装置制御３５０と、ＤＡＣ３３２に接続される電圧出力３５２と、スピーカ増幅器３３８に接続されるスピーカ接続３５４と、通信ラインマイクロホン増幅器３４０に接続されるマイクロホン接続３５６と、レギュレータ３４２に接続されるゴーグル電力接続３５８とを有するように構成される。ファイバコネクタ３１２は、第１の電気−光変換器３４４および第２の電気−光変換器３４６に接続される呼出ボタンコネクタ３６０を含む。
【００３６】
好ましい実施形態では、音声／映像ゴーグルインタフェース２１６は、非磁性メス電気コネクタ３１０内の雑音消去接続３６２、ならびにインタフェースシステム３０８内に位置し、インタフェースコンピュータ２０４からのアクティブ雑音消去のためにバックグラウンド雑音を音声出力内に送り出すような方法で雑音消去接続３６２に、制御論理回路３３０に、および音声ミキサ３３６に接続される雑音消去マイクロホンインタフェース３６４をさらに含む。
【００３７】
好ましい実施形態では、映像取込カード２１８は、８Ｆ、Ｎｏ．９４、Ｓｅｃ．１、Ｓｈｉｎ  Ｔａｉ  Ｗｕ  Ｒｄ．、Ｈｓｉｎ  Ｃｈｉｎ、Ｔａｉｐｅｉ  Ｈｓｉｅｎ、ＴａｉｗａｎのＴａｉｗａｎ  Ｃｏｍｍａｔｅ  Ｃｏｍｐｕｔｅｒ、Ｉｎｃ．社から入手できるＣｏｍｍｅｌｌ（登録商標）ｍｉｎｉ−ＰＣＩであり、ＮＴＳＣビデオケーブルを通して眼球追跡インタフェース２２０に接続される。
【００３８】
眼球追跡インタフェース２２０は光ファイバケーブルから映像画像を受け取り、光ファイバケーブルからの信号を電気信号に変換することができる。
【００３９】
好ましい実施形態では、データ取得ユニット２２２は、１１５００  Ｎ  Ｍｏｐａｃ  Ｅｘｐｗｙ．、Ａｕｓｔｉｎ、ＴＸのＮａｔｉｏｎａｌ  Ｉｎｓｔｒｕｍｅｎｔｓ  Ｃｏｒｐ．社から入手できる１６チャネルのＮａｔｉｏｎａｌ  Ｉｎｓｔｒｕｍｅｎｔｓ（登録商標）ＤＡＱ  ＮＩ  ＰＣＩｅ−６２５９であり、ＰＣＩエクスプレス（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ、ＰＣＩｅ）接続を通してインタフェースコンピュータ２０４に接続される。好ましい実施形態では、データ取得ユニット２２２は、患者モニタ受信機２２４からデジタルとアナログの電気信号の両方を受け取るように構成される。
【００４０】
好ましい実施形態では、患者モニタ受信機２２４は、当技術分野で公知の方法に従って、たとえば米国特許第６，７３１，９７６号明細書および米国特許第６，５３３，７３３号明細書に従って、患者の心拍数、呼吸、体温、酸素レベル、および脳の電気活動に関する患者からの信号を受け取ることができる。
【００４１】
磁石ボア構成要素
ここで図６から図９を参照すると、磁石ボア１０６内の項目を見ることができる。
【００４２】
音声／映像ゴーグルシステム１２０は、アース接続５０３を備える第２の非磁性オスコネクタ５０２を有する電子ケーブルを通して音声／映像ゴーグルインタフェース２１６に接続され、視覚表示装置５０４、音声ケーブル５０７を通して第２の非磁性オスコネクタ５０２に接続される音伝送システム５０６、およびマイクロホンシステム５０８を含む。第２の非磁性オスコネクタ５０２は非磁性メスコネクタ３１０に接続する。視覚表示装置５０４は映像情報を伝達するケーブル５０９を通して音声／映像ゴーグルインタフェース２１６に接続され、左の表示装置５１０と、右の表示装置５１２と、論理ケーブル５１５を通して第２の非磁性オスコネクタ５０２に、左の表示装置５１０に、および右の表示装置５１２に接続される表示論理回路５１４と、電圧ケーブル５１７を通して第２の非磁性オスコネクタ５０２に、左の表示装置５１０に、および右の表示装置５１２に接続される複数の電圧コントローラ５１６とを含む。音声／映像ゴーグルシステム１２０は、任意選択の眼球追跡インタフェース２２０に接続される眼球追跡システム５１８を任意選択でさらに含む。マイクロホンシステム５０８は、マイクロホンケーブル５１９を通して第２の非磁性オスコネクタ５０２に接続される。
【００４３】
好ましい実施形態では、左の表示装置５１０および右の表示装置５１２はそれぞれ、映像画像を送受信するための有機発光ダイオード（ＯＬＥＤ）システムまたは別のＬＥＤシステム５２０と、ＯＬＥＤシステムまたはＬＥＤシステム５２０から映像画像を受け取るためのプリズムまたは鏡のシステム５２２と、プリズムまたは鏡のシステム５２２とＯＬＥＤシステムまたはＬＥＤシステム５２０との間の距離を調節するためのジオプタ（ｄｉｏｐｔｅｒ）調節機構５２４とをさらに含む。ジオプタ調節機構５２４は、手動式、たとえばねじ棒（ｔｈｒｅａｄｅｄ  ｒｏｄ）とすることができる、または非磁性モータ、たとえば小型圧電性マイクロモータ、たとえばＳｑｕｉｇｇｌｅ（登録商標）モータを含むことができる。プリズムまたは鏡のシステム５２２は、ＯＬＥＤシステムまたはＬＥＤシステム５２０から映像信号を受け取り、映像信号をレンズの必要なしに患者に送信する。使用されるＯＬＥＤシステムまたはＬＥＤシステム５２０、およびプリズムまたは鏡のシステム５２２は、１０５００  ＮＥ  ８ｔｈ  Ｓｔｒｅｅｔ、Ｂｅｌｌｅｖｕｅ、ＷＡのｅＭａｇｉｎ  Ｃｏｒｐｏｒａｔｉｏｎ社から入手できるアクティブマトリクスＯＬＥＤ−ｏｎ−Ｓｉｌｉｃｏｎマイクロディスプレイを含むｅＭａｇｉｎ（登録商標）ＷＦ０５光学系モジュールとすることができる。このモジュールの表示装置は少なくとも７テスラまでの磁場内で劣化しないので、このモジュールは好ましい表示機構である。
【００４４】
音伝送システム５０６は、図１１に特に見ることができる。使用される音伝送システム５０６は、４４１１  Ｓｏｕｔｈ  Ｈｉｇｈ  Ｓｃｈｏｏｌ  Ｒｏａｄ、Ｉｎｄｉａｎａｐｏｌｉｓ、ＩＮのＭａｌｌｏｒｙ  Ｓｏｎａｌｅｒｔ  Ｐｒｏｄｕｃｔｓ、Ｉｎｃ．社から入手できるＭａｌｌｏｒｙ  Ｓｏｎａｌｅｒｔ  Ｐｒｏｄｕｃｔｓ（登録商標）ＰＴ−２０６０ＷＱの修正版であり、電気信号を音響の音声信号に変換する圧電性スピーカ５２６と、音声信号を受け取り圧電性スピーカ５２６に取り付けられる音響導波路５２８と、音響導波路５２８に取り付けられ患者の耳に近接して配置されるイヤホン５３０とを含む。音声チェーンは、音出力レベルが周波数で相当上昇する圧電性セラミックスピーカの一様でない周波数応答を補償するための周波数等化回路を含む。この特性は、補償されなければ、知覚される音の品質の損失の要因、およびアクティブ雑音消去システムの動作の品質の損失の要因となる。周波数等化システムはまた、スピーカとイヤホンの間の管により引き起こされる周波数依存性損失を補償する。Ｍａｌｌｏｒｙ  Ｓｏｎａｌｅｒｔ  Ｐｒｏｄｕｃｔｓ（登録商標）ＰＴ−２０６０ＷＱは、ワイヤストリッピング、および磁気シールディングできる材料、たとえばマイラ（ｍｙｌａｒ）または銅の編組（ｂｒａｉｄｉｎｇ）で磁気的にシールドすることにより修正される。音伝送システム５０６はまた、セラミクスピーカをさらに含むことができる。好ましい実施形態では、音伝送システム５０６はＭＲＩバックグラウンド雑音を拾い上げる雑音消去マイクロホン５３２をさらに含む。これらの雑音消去マイクロホン５３２は、図９に示される雑音消去ケーブル５３３を通して音声信号を音声／映像ゴーグルインタフェース２１６に送り出す。
【００４５】
マイクロホンシステム５０８が図１２に特に見ることができる。使用されるマイクロホンシステム５０８は、言葉の伝達を受け取るために患者の口の近くに開口部を有するように構成される音響導波管５３６を通してマイクロプロセッサに接続される非磁性微小電気機械システム（ｍｉｃｒｏｅｌｅｃｔｒｏｍｅｃｈａｎｉｃａｌ  ｓｙｓｔｅｍ、ＭＥＭＳ）マイクロホン５３４である。好ましい実施形態では、ＭＥＭＳマイクロホン５３４は、一体化された変換器および関連する回路が一体のシリコン上にあるアナログ出力単一チップＭＥＭＳマイクロホン、たとえば２８３５  Ｅａｓｔ  Ｃａｒｓｏｎ  Ｓｔｒｅｅｔ、Ｓｕｉｔｅ  ３０１、Ｐｉｔｔｓｂｕｒｇ、ＰＡのＡｋｕｓｔｉｃａ、Ｉｎｃ．から入手できるＡｋｕｓｔｉｃａ（登録商標）ＡＫＵ１１２６であり、ワイヤストリッピング、および磁気シールディングできる材料、たとえばマイラまたは銅の編組で磁気的にシールドすることにより修正される。
【００４６】
好ましい実施形態では、視覚表示装置５０４、音伝送システム５０６、およびマイクロホンシステム５０８は、一般的形状の双眼鏡ゴーグルを有する一体ユニットであり、音声／映像ゴーグルシステム１２０は瞳孔間調節機構をさらに含む。瞳孔間調節機構は手動式、たとえばねじ棒とすることができる、または非磁性モータを含むことができる。音声／映像ゴーグルシステム１２０は、生体適合性非磁性材料、たとえば可撓性のあるプラスチック、シリコン、またはポリウレタンから作られるフェースモジュール（ｆａｃｅ  ｍｏｄｕｌｅ）に搭載される。別の好ましい実施形態では、音声／映像ゴーグルシステム１２０は、一体ユニットと患者の間の一体ユニット上に配置するための取り外し可能なシールド５３８をさらに含む。好ましい実施形態では、音声／映像ゴーグルシステム１２０は、音声／映像ゴーグルシステム１２０を患者に固定するストラップをさらに含む。別の好ましい実施形態では、音声／映像ゴーグルシステム１２０は、図９に示されるように単一の３７ピンケーブルを通して音声／映像ゴーグルインタフェース２１６に接続される。単一ケーブルはまた、当技術分野で公知の、ＭＲＩまたはｆＭＲＩへの妨害を最小にするという有利な点を有する編組シールディングを通して磁気的にシールドすることができる。
【００４７】
呼出ボタン１２２は、図１３Ａ〜図１３Ｃに特に見ることができる。呼出ボタン１２２は、制御室１０２よりも患者に近い第１の末端、および向かい合った第２の末端を有する第１の光ファイバケーブル６０２と、制御室１０２よりも患者に近い第１の末端、および向かい合った第２の末端を有する第２の光ファイバケーブル６０４と、２つの光ファイバケーブル間に光路が存在するように基盤６０７およびファイバ支持物６０８を使用して、第１の光ファイバケーブル６０２の第１の末端および第２の光ファイバケーブル６０４の第１の末端を互いに近接させるような方法で第１の光ファイバケーブル６０２の第１の末端および第２の光ファイバケーブル６０４の第１の末端を保持するハウジング６０６と、第１の光ファイバケーブルの第１の末端と第２の光ファイバケーブルの第１の末端の間に届くように構成される、ハウジング６０６内部の光遮断機構６１０たとえば鏡またはプリズムと、光遮断機構６１０に取り付けられ、ハウジング６０６の外側に配置される、患者がディスクを押し下げることにより光路を遮断するような方法で構成されるディスク６１２と、患者がディスクを押し下げたとき、ばね６１４がディスクを戻して押し上げて光路を再び開く力を加えるようなばね６１４とを含む。第１の光ファイバケーブル６０２および第２の光ファイバケーブル６０４は、音声／映像ゴーグルインタフェース２１６の呼出ボタンコネクタ３６０に接続される。第１の光ファイバケーブル６０２は音声／映像ゴーグルインタフェース２１６から光入力を受け取り、光入力を第２の光ファイバケーブル６０４に送信する。
【００４８】
応答機器１２４は少なくとも１つの入力ボタンを含む。各ボタンは呼出ボタン１２２と類似の方法で構築され、制御室１０２よりも患者に近い第１の末端、および向かい合った第２の末端を有する第１の光ファイバケーブルと、制御室１０２よりも患者に近い第１の末端、および向かい合った第２の末端を有する第２の光ファイバケーブルと、２つの光ファイバケーブルの間に光路が存在するように基盤およびファイバ支持物を使用して、第１の光ファイバケーブルの第１の末端および第２の光ファイバケーブルの第１の末端を互いに近接させるような方法で第１の光ファイバケーブルの第１の末端および第２の光ファイバケーブルの第１の末端を保持するハウジングと、第１の光ファイバケーブルの第１の末端と第２の光ファイバケーブルの第１の末端の間に届くように構成される、ハウジング内部の光遮断機構たとえば鏡またはプリズムと、光遮断機構に取り付けられ、ハウジングの外側に配置される、患者がディスクを押し下げることにより光路を遮断するような方法で構成されるディスクと、患者がディスクを押し下げたとき、ばねがディスクを戻して押し上げて光路を再び開く力を加えるようなばねとを含む。第１の光ファイバケーブルおよび第２の光ファイバケーブルは補助インタフェース２１４に接続される。別の実施形態では、複数の患者入力ボタンがある。
【００４９】
手動コントローラまたはジョイスティック１２６は、呼出ボタン１２２と類似の方法で構築され、制御室１０２よりも患者に近い第１の末端、および向かい合った第２の末端を有する第１の光ファイバケーブルと、制御室１０２よりも患者に近い第１の末端、および向かい合った第２の末端を有する第２の光ファイバケーブルと、２つの光ファイバケーブルの間に光路が存在するように基盤およびファイバ支持物を使用して、第１の光ファイバケーブルの第１の末端および第２の光ファイバケーブルの第１の末端を互いに近接させるような方法で第１の光ファイバケーブルの第１の末端および第２の光ファイバケーブルの第１の末端を保持するハウジングと、増分手段で第１の光ファイバケーブルの第１の末端と第２の光ファイバケーブルの第１の末端の間に届くように構成される、ハウジング内部の光遮断機構たとえば鏡またはプリズムと、光遮断機構に取り付けられ、ハウジングの外側に配置される、患者がある方向に制御スティックを動かすことにより光路を部分的に遮断するような方法で構成されるハンドヘルド制御スティックと、患者が制御スティックを動かすとき、ばねが制御スティックをその元の位置に押し戻して光路を再び開く力を加えるようなばねとを含む。患者が光路を部分的に遮断するとき、補助インタフェース２１４にアナログ信号が送信される。第１の光ファイバケーブルおよび第２の光ファイバケーブルは補助インタフェース２１４に接続される。
【００５０】
別の実施形態では、ジョイスティック１２６は、第１の複数の光ファイバケーブルであって、第１の複数の光ファイバケーブルの各光ファイバケーブルが第１の末端および向かい合った第２の末端を有し、光ファイバケーブルのそれぞれの第１の末端が制御室１０２よりも患者に近い第１の複数の光ファイバケーブルと、第２の複数の光ファイバケーブルであって、第２の複数の各光ファイバケーブルが第１の複数の対応する光ファイバケーブルを有し、対を形成し、第２の複数の光ファイバケーブルの各光ファイバケーブルが第１の末端および向かい合った第２の末端を有し、光ファイバケーブルのそれぞれの第１の末端が制御室１０２よりも患者に近い第２の複数の光ファイバケーブルと、複数の光路を形成する光ファイバケーブルの各対の間に光路が存在するように基盤およびファイバ支持物を使用して、第２の複数の各光ファイバケーブルの第１の末端を第１の複数のそれぞれの対応する光ファイバケーブルの第１の末端に近接させるような方法で光ファイバケーブルのそれぞれの第１の末端を保持するハウジングと、１つまたは複数の光ファイバケーブル対の間の光路を遮断するように構成される、ハウジング内部の光遮断機構たとえば鏡またはプリズムと、光遮断機構に取り付けられ、ハウジングの外側に配置される、患者が制御スティックをある方向に動かすことにより１つまたは複数の光路を遮断するような方法で構成されるハンドヘルド制御スティックと、患者が制御スティックを動かすとき、ばねが制御スティックをその元の位置に押し戻して光路を再び開く力を加えるようなばねとを含む。第１の複数の光ファイバケーブルおよび第２の複数の光ファイバケーブルは補助インタフェース２１４に接続される。
【００５１】
別の実施形態では、第１の複数の光ファイバケーブルであって、第１の複数の光ファイバケーブルの各光ファイバケーブルが第１の末端および向かい合った第２の末端を有し、光ファイバケーブルのそれぞれの第１の末端が制御室１０２よりも患者に近い第１の複数の光ファイバケーブルと、第２の複数の光ファイバケーブルであって、第２の複数の各光ファイバケーブルが第１の複数の対応する光ファイバケーブルを有し、対を形成し、第２の複数の光ファイバケーブルの各光ファイバケーブルが第１の末端および向かい合った第２の末端を有し、光ファイバケーブルのそれぞれの第１の末端が制御室１０２よりも患者に近い第２の複数の光ファイバケーブルと、複数の光路を形成する光ファイバケーブルの各対の間に光路が存在するように基盤およびファイバ支持物を使用して、第２の複数の各光ファイバケーブルの第１の末端を第１の複数のそれぞれの対応する光ファイバケーブルの第１の末端に近接させるような方法で光ファイバケーブルのそれぞれの第１の末端を保持するハウジングと、１つまたは複数の光ファイバケーブル対の間の光路を遮断するように構成される、ハウジング内部の光遮断機構たとえば鏡またはプリズムと、光遮断機構に取り付けられ、ハウジングの外側に取り付けられる、患者がつまみをある方向に動かすことにより１つまたは複数の光路を遮断するような方法で構成されるつまみと、患者がつまみを動かすとき、ばねがつまみをその元の位置に押し戻して光路を再び開く力を加えるようなばねとを含む音声調節機構がある。第１の複数の光ファイバケーブルおよび第２の複数の光ファイバケーブルは補助インタフェース２１４に接続される。音声調節機構は、イヤホン５３０内の音声信号の音声特性を調節するような方法で構成される。
【００５２】
有利な点
本発明のこれまで説明された実施形態には、最小の磁気感受性構成要素を備える音声／映像システム、およびより余裕のないヘッドコイルの中に合わせるためのコンパクト設計を含む、多くの有利な点がある。以下に説明される追加の実施形態が、別の要件を有する別の医療処置に適用される。たとえば、整形外科的関節鏡検査処置（すなわち、関節炎組織、骨棘などを除去する膝関節スコープ）では、患者は全身麻酔薬の代わりに施される局所ブロックおよび軸性ブロックの組合せを使ってしばしば覚醒したままにされる。不安を高める部屋の雰囲気に加えて、のこぎり、吸引、および別の手術器具の雑音を伴う手術室で覚醒していることは、多くの患者にとって情緒的不安を引き起こす可能性がある。本発明は、たとえば処置中に映画を再生するなど、患者にとってのディストラクション機構の役割を果たすことができ、本発明は患者の目の近くに合うので、雑音消去、および周囲の雰囲気からの不安が低減される音声を提供する。本発明は、医学的に安全であり、厳格なＦＤＡおよびＵＬの規格を満たし、清掃可能であり、部分的非無菌区域（ｓｅｍｉ−ｎｏｎ−ｓｔｅｒｉｌｅ  ａｒｅａ）内の麻酔カート近くに配置可能である。本発明から利益を得る医療処置の別の例が以下である。
１．インターベンショナルラジオロジ（ｉｎｔｅｒｖｅｎｔｉｏｎａｌ  ｒａｄｉｏｌｏｇｙ）およびインターベンショナルカーディオロジ（ｉｎｔｅｒｖｅｎｔｉｏｎａｌ  ｃａｒｄｉｏｌｏｇｙ）（たとえばステント留置、色素コントラストイメージング、硬膜外麻酔他）。
２．腫瘍学――化学療法剤投与――＞化学療法剤が投与されている間、患者のためのディストラクション機器として。
３．覚醒手術（たとえば整形外科的スコープ処置、歯または別の口腔顎顔面処置）。
４．ＰＥＴ（ｐｏｓｉｔｒｏｎ  ｅｍｉｓｓｉｏｎ  ｔｏｍｏｇｒａｐｈｙ）スキャンニング（たとえばスキャン中の気晴らしのため、閉所恐怖症を最小にするため、および患者が静止したままでいるよう励ますため）。また、組合せＰＥＴ−ＣＴまたはＰＥＴ−ＭＲＩとして使用可能である。
５．ＣＴ（ｃｏｍｐｕｔｅｄ  ｔｏｍｏｇｒａｐｈｙ）スキャンニング（たとえば大きい雑音および閉所恐怖症からのディストラクション機器として）。
６．ＭＥＧ（ｍａｇｎｅｔｏｅｎｃｅｐｈａｌｏｇｒａｐｈｙ）スキャンニング（ＥＭＩおよびＲＦの懸念が非常に高く、超高感度ＳＱＵＩＤセンサのせいでＭＥＧでのスキャンニング成功のためにきわめて最小量の金属のほぼゼロのＲＦ放出が許されることが必要とされるという点でＭＲＩに類似する）。
７．透析（透析を受ける患者のためのディストラクション機器として）。
８．プロジェクタベースのシステムの必要がない機能的ＭＥＧおよび通常のＭＥＧ。また、スキャン中に何人もの患者を静止したままに保つのに役立つ）。
【００５３】
理解されるように、本発明には上記で提供された例以外の多くのより有用な応用があり、本発明は言及されたそれらの手順だけに限定されない。
【００５４】
ここで図１４に戻ると、患者の不安を軽減するために薄型設計を使用するゴーグルベースの音声／視覚表示装置および応答ユニット１４００が示されている。見てわかるように、ゴーグルユニット１４００は、患者が着用可能な単一ゴーグルユニット１４００内に１つまたは複数の視覚表示装置１４０２、音伝送システム１４０４および１４０６、ならびにマイクロホンシステム１４０８および１４１０を含む。１つまたは複数の視覚表示装置１４０２、音伝送システム１４０４、およびマイクロホンシステム１４０６は、患者の頭の両側の単一ケーブル１４１２および１４１４によりインタフェースユニット１１８に個々に接続される。この配置は、２つの単一ケーブル１４１２および１４１４が患者の頭の両側に等しい重さを提供し、患者の頭の片側だけを引く単一ケーブルよりも快適であることが示されたよりよいバランスを提供するので、単一ケーブルを使用してゴーグルユニット１４００をインタフェースユニット１１８に接続するよりも好ましい。しかし、任意選択で、使用されている医療機器に単一ケーブルに対する特別な要件がある場合、１つまたは複数の視覚表示装置１４０２、音伝送システム１４０４および１４０６、ならびにマイクロホンシステム１４０８を、単一ケーブルによりインタフェースユニット１１８に接続することができる。ゴーグルユニット１４００はまた、アクティブ・ヘッド・モーション検出器１４１６、パッシブ・ヘッド・モーション検出器１４１８および１４２０、またはアクティブ・ヘッド・モーション検出器１４１６とパッシブ・ヘッド・モーション検出器の両方を有することができる（図１６に示されている）。アクティブ・ヘッド・モーション検出器１４１６およびパッシブ・ヘッド・モーション検出器は、過剰な動きが、行われている検査の結果を歪める医療機器内で、適切な頭の位置を患者が維持する手助けをするのに有用である。患者は制御ユニット１４１８を使用して１つまたは複数の視覚表示装置１４０２、音伝送システム１４０４、およびマイクロホンシステム１４０６を制御することができる。制御ユニット１４１８にはゴーグルユニット１４００を制御するために有用なボリューム、輝度コントラスト、および別の制御がある。
【００５５】
ここで図１５を参照すると、本発明の別の実施形態による、医療用不安軽減ディストラクションシステム１５００の図が示されている。見てわかるように、この実施形態は一対のメガネに類似するユニット１５００を提供する。ユニットは、患者が自分の頭の上に配置するフレーム１５０２からなる。マイクロホン１５０４を、フレーム１５０２の片側または複数の側に取り付けることができる。１つまたは複数の視覚表示ユニット１５０６を、フレーム１５０２に取り付けることができ、１つまたは複数の視覚表示ユニット１５０６のそれぞれに対して単一ケーブルがインタフェースユニット１１８に接続される。１つまたは複数の視覚表示ユニット１５０６のそれぞれは、機能を一致させることができるか、または任意選択で、行われている医療処置または研究に応じて１つまたは複数の視覚表示ユニット１５０６が異なる機能を提供することができる。任意選択で、行われている医療処置に応じて１つまたは複数の視覚表示ユニット１５０６の一方だけを、フレーム１５０２に取り付けることができる。１つまたは複数の視覚表示ユニット１５０６の瞳孔間距離を制御するためにモータ１５０８が提供される。モータ１５０８は、最適な快適さを求めて１つまたは複数の視覚表示ユニット１５０６を別個にまたは組み合わせて傾け、旋回させて患者が見ることにより１つまたは複数の視覚表示ユニット１５０６のそれぞれを調節することができる。任意選択で、１つまたは複数の視覚表示ユニット１５０６のそれぞれは、患者による最適な快適さおよび視野を求めて１つまたは複数の視覚表示ユニット１５０６を傾けるまたは旋回させるために、本開示を参照して当業者により理解されるような手動手段１５１０により調節することができる。
【００５６】
患者に対して本発明を使用することについて強調されたが、本発明はまた、搭載されたモニタを見る代わりに、処置を行う外科医または内科医が使用することができる。たとえば、外科医は図１４のゴーグルシステムまたは図１５のメガネスタイルのシステムを身に着けて、ステント留置または整形外科的関節鏡検査処置をモニタすることができる。外科医は、モニタを見ようと懸命になる必要なく本発明を使用して、さらに同時に患者を見ながらスコープを導くことができる。さらに、本発明は、独立した制御およびフィードを備える２つの独立した映像表示装置を有するおかげで３次元立体画像を表示するのに最適である。
【００５７】
頭の過剰な動き
ここで図１６を参照すると、本発明の一実施形態による１つまたは複数の患者の頭の過剰な動きセンサ１６０２および１６０４を有するゴーグルユニット１４００の正面図１６００が示されている。多くの医療処置、たとえばＭＲＩスキャンニングなどに伴う大きな問題が患者の過剰な動きであり、スキャナ内にある間に患者の頭を静止したままに保つことが困難となり得る。１つまたは複数の患者の頭の過剰な動きセンサ１６０２および１６０４が、患者が医療処置中に動き過ぎのときにリアルタイムで患者に警告する。１つまたは複数の患者の頭の過剰な動きセンサ１６０２および１６０４は、アクティブ、パッシブ、またはアクティブとパッシブの両方とすることができる。好ましい実施形態では、１つまたは複数の患者の頭の過剰な動きセンサ１６０２および１６０４は、１つまたは複数の表示モジュール１６０６の両側に配置することが可能な１つまたは複数の着色された細片を含む。あるいは、１つまたは複数の患者の頭の過剰な動きセンサ１６０２および１６０４は、選択される材料が、患者に対して検査を行っている１つまたは複数の視覚表示モジュール１６０６または医療装置を妨害しないという条件で、位置ＬＥＤ、ホログラムなどとすることができる。患者があまりにも動き回る場合、１つまたは複数の患者の頭の過剰な動きセンサ１６０２および１６０４は反射率が変わる、またはＬＥＤ光が動きを示す、たとえば緑色＝頭の最小の動き、赤色＝頭が動きすぎるなど。反射率の変化は、患者が頭を動かしすぎているというリアルタイムの警告を患者に提供する。あるいは、１つまたは複数の患者の頭の過剰な動きセンサ１６０２および１６０４を、インタフェースユニット１１８に取り付けることができ、患者に静止したままでいるように言葉で告げるようオペレータまたは専門技術者に警告することができる。オペレータまたは専門技術者に、患者に警告させていることが何らかの状況で有用であり得るが、警告はリアルタイムでなくなる。
【００５８】
ここで図１７を参照すると、本発明の一実施形態により個々の視覚表示装置をどのように調節することができるかの構成図１７００が示されている。患者の適切な快適さを提供し、音声および視覚の表示の効果を最大にするためには、適切な瞳孔間距離が提供されなければならない。一実施形態では、左の視覚表示装置１７０２および右の視覚表示装置１７０４が上げられる／下げられる１７０６。さらに、左の視覚表示装置１７０２と右の視覚表示装置１７０４の間の水平距離１７０８を、最適な焦点１７１０に到達するように調節することが可能である。
【００５９】
ここで図１８を参照すると、本発明の一実施形態による、患者の眼球運動を追跡するための遠隔眼球追跡カメラの図１８００が示されている。通常、カメラは医療処置中、患者にとって非常に気を散らすことになり得る。しかし、患者の眼球運動が医療処置中または医療処置が完了した後の解析のために役立ち得る多くの例がある。好ましい実施形態では、カメラ１８０２は医療処置を受けている患者から遠隔に配置される。１つまたは複数の光ファイバを含む光ファイバ束１８０４を、１つまたは複数の視覚表示装置１８０６に取り付けることができる。眼球追跡は、１つまたは複数の視覚表示装置１８０６に取り付けられる光ファイバ束１８０４の非常に小さなサイズにより患者にとって侵襲性が最小となる。カメラ１８０２は、現在使用されている別のより一般的なカメラの配置よりも患者から遠く離れた距離に配置することができる。また、多くの医療処置、たとえばＭＲＩなどは、現在使用されているカメラの動作またはカメラを混乱させる可能性がある高出力磁場を使用し、カメラの接続が医療処置を妨害して誤った結果に導く可能性がある。
【００６０】
ここで図１９を参照すると、図１５の個々の視覚表示ユニット１９００のクローズアップ図が示されている。見てわかるように、シールドされたケーブル１９０２が個々の視覚表示ユニット１９００をインタフェースユニット１１８に取り付ける。個々の視覚表示ユニット１９００はまた、視覚表示ユニット１９００を上げる、下げる、傾ける、旋回させるための第２の調節手段１９０２、第３の調節手段１９０４、および第４の調節手段１９０６を有する。第２の調節手段１９０２、第３の調節手段１９０４、および第４の調節手段１９０６は第１の調節手段（図１７に示される）と共に、適切な瞳孔間距離を達成して患者に最適な視野角を提供するために組み合わせて使用される。
【００６１】
ここで図２０を参照すると、一部の医療処置で使用されるＭＲＩヘッドユニット２０００の図が示されている。見てわかるように、ヘッドユニット２０００には眼球開口部２００２および２００４がある。眼球開口部２００２および２００４は、従来技術を本発明と適合させるために、視覚表示ユニット（図１９に示される）の１つまたは複数に取り付けることができる。このことは、医療および研究の設備が、購入された装置を使用し続けることができるようにするが、より多くの研究を行う、または患者によりリラックスさせる環境を提供するための融通性のあるアップグレードの道を提供する。
【００６２】
雑音消去
ここで図２１を参照すると、本発明の一実施形態による自動雑音消去（ＡＮＣ）センサ２１００の図が示されている。消去センサ２１０２はケーブル２１０４によりインタフェースユニット１１８に接続される。ケーブル２１０４は、ＡＮＣセンサ２１００が配置される医療環境に応じて光ファイバまたは金属製とすることができる。ＡＮＣセンサ２１００は、様々な医療処置、たとえばＭＲＩシーケンスなどのための音のプロファイルを提供するために使用することができ、このとき、この情報をインタフェースユニット１１８内に記憶することができる。医療処置が開始される前に、どのシーケンスが雑音消去信号を音伝送システム１４０４および１４０６にどの長さまでおよびどのくらいの間適用すべきかをベースモジュールが「知る」ことができるようにするあらかじめ記憶されたシーケンスリストが、対応するスキャンタイムと共に制御室のコンピュータ１０２内でプログラムされる。任意選択で、消去センサ２１０２は、患者が話す場合、患者の言うことがオペレータまたは専門技術者により明瞭に聞こえるように、ＡＮＣセンサ２１００が周囲雑音を消去することができるように、患者の口の最も近くに、またはマイクロホン１４０８および１４１０内に配置することができる。
【００６３】
たとえば、各ＭＲＩパルスシーケンスおよびスキャナには特徴的雑音パターン／特性があり、たとえば、エコープラナ（ｅｃｈｏ  ｐｌａｎａｒ、ＥＰ）シーケンスの音の特徴が反転回復シーケンスと異なるなどである。ＭＲＩまたは別の医療処置を受けている間、上記患者または患者により聞かれる音発生装置／スピーカに、デジタル・シグナル・プロセッサ（ＤＳＰ）が、消去されたスキャナ雑音およびフィルタリングされた音声信号を渡した。
【００６４】
雑音を減衰させ、患者の快適さを改善し、一部の例で所望の音声フィードの忠実度を維持することは、医療処置にとってきわめて重要である。まず、ＡＮＣセンサ２１００は、ＭＲＩにおける現在の呼出ボタン、または患者がボタンを押すことなく制御室と言葉で通信できるようにする別の医療処置を置き換える。このことは、動けない患者、すなわち不全麻痺または完全麻痺、およびボタンを作動させることができない別の運動障害を有する患者にとって特に有用となり得る。さらに、ＡＮＣセンサ２１００は、ｆＭＲＩを受けている（実際のパルスシーケンス中の）患者からリアルタイムの音声フィードバックを可能にするために使用することができる。ＡＮＣセンサは制御室のコンピュータ１０２と組み合わせて、患者の音声を維持している間にスキャナ雑音を消去する。機能的ＭＲＩ（ｆＭＲＩ）はしばしば患者のフィードバックに基づかないので、このタイプのシステムが必要である。現在、触覚性（ｔａｃｔｉｌｅ）、モータ、および思いつきがすべて使用されているが、圧倒するようなスキャナの周囲雑音のために、記録された音声フィードバックが利用できない。（上記で説明されたような）ＡＮＣセンサ／制御室のコンピュータ１０２の組合せが、臨床家または研究者が患者の応答をｆＭＲＩパラダイムに記録することができるようにする。
【００６５】
本発明がある種の好ましい実施形態を参照してかなり詳細に議論されたが、別の実施形態が可能である。したがって、添付の特許請求の範囲は、本開示に含まれる好ましい実施形態の説明に限定されるものではない。
【図１】
2012520152.tif 000003
【図２】
2012520152.tif 000004
【図３】
2012520152.tif 000005
【図４】
2012520152.tif 000006
【図５】
2012520152.tif 000007
【図６】
2012520152.tif 000008
【図７】
2012520152.tif 000009
【図８】
2012520152.tif 000010
【図９】
2012520152.tif 000011
【図１０Ａ】
2012520152.tif 000012
【図１０Ｂ】
2012520152.tif 000013
【図１０Ｃ】
2012520152.tif 000014
【図１１】
2012520152.tif 000015
【図１２】
2012520152.tif 000016
【図１３Ａ】
2012520152.tif 000017
【図１３Ｂ】
2012520152.tif 000018
【図１３Ｃ】
2012520152.tif 000019
【図１４】
2012520152.tif 000020
【図１５】
2012520152.tif 000021
【図１６】
2012520152.tif 000022
【図１７】
2012520152.tif 000023
【図１８】
2012520152.tif 000024
【図１９】
2012520152.tif 000025
【図２０】
2012520152.tif 000026
【図２１】
2012520152.tif 000027
【国際調査報告】
2012520152.tif 000028
2012520152.tif 000029
2012520152.tif 000030
2012520152.tif 000031
2012520152.tif 000032